(57)【要約】人の脈波信号および手足の運動の発生が、人の身体に装着された脈波センサおよび加速度計の支援により睡眠中に測定される。ＲＲ間隔値および呼吸頻度が、指定された時間間隔Δｔｉで、脈波信号に基づいて測定される。生成された測定値は、ＲＲ間隔値の平均値Ｐ１、最小値Ｐ２および最大値Ｐ３と、ＲＲ間隔の二乗平均平方根偏差Ｐ４と、平均呼吸頻度値Ｐ５と、人の手足の運動の平均数Ｐ６とを決定するために使用される。さらに、関数Ｆ（Δｔｉ）の値が決定され、2016517729.tif 000008であり、Ｋ１〜Ｋ６は、関数Ｆ（Δｔｉ）の値に対し対応するパラメータによってなされる寄与を特徴づける重み係数であり、関数Ｆ（Δｔｉ）における増加に基づいて、目覚めに好適な睡眠相の始まりおよび終わりについての判定がなされる。本発明は、人を目覚めさせるのに好適な睡眠相を決定するための単純で信頼できる方法を生み出す問題を解決し、その方法の実現のために、人に容易に装着可能であり、睡眠中に上記人を妨害しない技術的手段を使用することが可能であろう。
2016517729.tif 000002
【特許請求の範囲】
【請求項１】
覚醒に好適な人間の睡眠相を決定するための方法であって、
前記人間の身体に装着された脈波センサおよび少なくとも１つの人感センサを使用して、睡眠中の前記人間の脈波信号および手足の運動の発生を登録すること、
ＲＲ間隔の値および呼吸数を測定すること、
予め設定された時間間隔Δｔｉにわたる関数Ｆ（Δｔｉ）の値を決定し、関数Ｆ（Δｔｉ）の増分に基づいて覚醒に好適な前記睡眠相の始まりおよび終わりを決定すること、を備え、
ｉは、時間間隔の通し番号であり、
2016517729.tif 000007
であり、
Ｐ１は、時間間隔Δｔｉにわたる前記ＲＲ間隔の平均値であり、
Ｐ２は、時間間隔Δｔｉにわたる前記ＲＲ間隔の最小値であり、
Ｐ３は、時間間隔Δｔｉにわたる前記ＲＲ間隔の最大値であり、
Ｐ４は、３分から２０分の先行する時間間隔にわたる前記ＲＲ間隔の標準偏差であり、
Ｐ５は、時間間隔Δｔｉにわたる前記呼吸数の平均値であり、
Ｐ６は、０．５分から１０分までの範囲にわたる先行する時間期間にわたる人間の手足の運動の平均数であり、
Ｋ１〜Ｋ６は、関数Ｆ（Δｔｉ）の値に対するパラメータＰ１〜Ｐ６の寄与を特徴づける重み係数である、方法。
【請求項２】
パラメータ値Ｐ４が４分から６分までの範囲で測定される、時間間隔を選択することを備える、請求項１に記載の方法。
【請求項３】
パラメータ値Ｐ６が４分から６分までの範囲で測定される、時間間隔を選択することを備える、請求項１に記載の方法。
【請求項４】
ｍｓで測定されたパラメータＰ１のための重み係数Ｋ１の値が、０．６ｍｓ−１から３ｍｓ−１までの範囲で選択され、
ｍｓで測定されたパラメータＰ２のための重み係数Ｋ２の値が、０．１ｍｓ−１から０．７ｍｓ−１までの範囲で選択され、
ｍｓで測定されたパラメータＰ３のための重み係数Ｋ３の値が、０．０１ｍｓ−１から０．３ｍｓ−１までの範囲で選択され、
ｍｓで測定されたパラメータＰ４のための重み係数Ｋ４の値が、０．５ｍｓ−１から３ｍｓ−１までの範囲で選択され、
ｍｉｎ−１で測定されたパラメータＰ５のための重み係数Ｋ５の値が、１分から１０分までの範囲で選択され、
パラメータＰ６のための重み係数Ｋ６の値が、５から５０までの範囲で選択される、請求項１に記載の方法。
【請求項５】
０．９ｍｓ−１から１．０５ｍｓ−１までの範囲において前記重み係数Ｋ１の値を選択することを備える、請求項４に記載の方法。
【請求項６】
０．１ｍｓ−１から０．２ｍｓ−１までの範囲において前記重み係数Ｋ２の値を選択することを備える、請求項４に記載の方法。
【請求項７】
０．０２ｍｓ−１から０．０５ｍｓ−１までの範囲において前記重み係数Ｋ３の値を選択することを備える、請求項４に記載の方法。
【請求項８】
１．３ｍｓ−１から１．５ｍｓ−１までの範囲において前記重み係数Ｋ４の値を選択することを備える、請求項４に記載の方法。
【請求項９】
１．５分から２．３分までの範囲で選択された前記重み係数Ｋ５の値を選択することを備える、請求項４に記載の方法。
【請求項１０】
１８から２４までの範囲で選択された前記重み係数Ｋ６の値を選択することを備える、請求項４に記載の方法。
【請求項１１】
前記脈波センサは、圧電センサ、歪みゲージまたは光学センサであり、手首または前腕に装着される、請求項１に記載の方法。
【請求項１２】
前記少なくとも１つの人感センサは、加速度計であり、腕または脚に装着される、請求項１に記載の方法。
【請求項１３】
前記時間間隔Δｔｉは、１分から６分までの範囲で選択される、請求項１に記載の方法。
【請求項１４】
前記時間期間Δｔｉにわたる関数Ｆ（Δｔｉ）の前記増分が第１の予め設定された閾値を超える場合、覚醒に好適な前記睡眠相の前記始まりを識別することを備える、請求項１に記載の方法。
【請求項１５】
前記時間期間Δｔｉにわたる関数Ｆ（Δｔｉ）の前記増分が第２の予め設定された閾値より小さくなる場合、覚醒に好適な前記睡眠相の前記終わりを識別することを備える、請求項１に記載の方法。
【発明の詳細な説明】
【技術分野】
【０００１】
本発明は、診断目的のための人間の状態パラメータの測定の分野に関し、特に、人間の睡眠を特徴づけるパラメータの測定に関する。
【背景技術】
【０００２】
知られているように、人間の睡眠は、いわゆるノンレム睡眠とレム睡眠の交互の相からなる。上記相は、健康な人間の睡眠中、周期的に（典型的には４周期から６周期で）交互に続く。経験によると、レム相が覚醒に最も好適であることを示している。しかしながら、大多数の人々は、特定の時間に設定されたアラーム時計の信号によるか、または他の偶然要因によって影響を及ぼされるか、のいずれかで目覚め、これは、彼らの覚醒が常に最適な睡眠相で発生するわけではないことを意味する。したがって、人々のためのより快適な生活条件を提供するために、覚醒に最適な睡眠相を決定するように設計され、目覚まし音または他の信号を発生させる目覚ましデバイスに対する制御を提供する、単純で、小型の、使いやすい技術的手段の開発が重要である。
【０００３】
覚醒に好適な睡眠相を含む人間の睡眠相を決定するためのさまざまな方法が知られている。
【０００４】
医学研究は、さまざまな生体電気信号、たとえば、脳の生体電気活動を特徴づけるＥＥＧ、筋活動を反映させる筋電図、または眼球運動中の生体電位の変化を特徴づけるＥＯＧを登録することにより、特定の睡眠相が十分な確信をもって識別され得る、ということを見出している。しかしながら、これらの方法は、特に訓練された職員の援助を提供するヘルスケア施設においてのみ適用可能であり、日常生活で使用されることができない。さらに、数多くの内的および外的要因が人間の睡眠に影響を及ぼすので、１人のおよび同一の人の睡眠は異なる具合に進行し得る。したがって、覚醒に好適な相が所与の人について、彼／彼女の現在の精神心理学的状態および睡眠条件に基づいて決定されることが必要になる。
【０００５】
人を覚醒させるのに好適な睡眠相中に、睡眠中の人の生理学的パラメータの現在の測定値に基づいて、人を覚醒させるように設計された、さまざまな方法およびデバイスが知られている。
【０００６】
かくして、特許文献１は、所定の睡眠相中に人を目覚めさせるための方法を説明している。この目的のために、ＥＥＧが、現在のレム相を識別するためにセンサによって睡眠中に記録され、所定の時間間隔で発生させられる目覚まし信号が、上記ＥＥＧに同期させられる。レム睡眠時のＥＥＧは、著者によると、１８Ｈｚから３２Ｈｚの範囲のベータ波の出現による脱同期と、存在するシータ波による低振幅の混合した活動とによって判別される。
【０００７】
特許文献２は、所定の最終的な起床時間の前の要求された睡眠相中に人を目覚めさせ、最良の就寝時間を識別するための方法およびデバイスを説明している。レム相は、人間の脚または腕に装着された加速度計によって登録された運動活動によって識別される。
【０００８】
特許文献３は、人を目覚めさせるのに最も好適な睡眠相において人を目覚めさせるための方法を説明している。著者によると、レム相は、心血流の増加、身体の良好でない体温調節（その温度は、周囲の温度に依存して上下動し得る）、末梢動脈血圧モニタによって測定され得る血管収縮および血管血流の減少、不安定で増加した心拍数、血圧、および呼吸数によって特徴づけられる。
【０００９】
特許請求される発明に最も近いのが、特許文献４に説明されている、予め設定された期間内の最適な時間に、および好適な睡眠相中に、人を目覚めさせるための方法である。レム相は、心拍数、呼吸数、身体または頭部の温度を測定することと、眼球運動および身体運動を検出することとによって識別される。上記方法を実現するデバイスは、アームバンド、イヤークリップ、チェストベルト、等の形態で作られ得る。
【００１０】
公知の従来技術の分析は、そのようなデバイスが十分な信頼度によってレム睡眠の始まりと終わりを識別できないこと、または、上記デバイスが、人に装着されるセンサの著しい数に起因して睡眠中の人にとっての実際的な不便さを生み出すこと、を示している。
【先行技術文献】
【特許文献】
【００１１】
【特許文献１】ロシア特許第２０６１４０６号明細書
【特許文献２】米国特許出願公開第２０１１／０２３０７９０号明細書
【特許文献３】米国特許出願公開第２００５／０１９００６５号明細書
【特許文献４】ドイツ特許第４，２０９，３３６号明細書
【発明の概要】
【発明が解決しようとする課題】
【００１２】
本発明によって解決される課題は、覚醒に好適な睡眠相、すなわち、レム睡眠を識別し、人に容易に装着されるデバイスとして具体化されることができ、人の睡眠を妨害しない、単純で信頼できる方法を提供することである。
【課題を解決するための手段】
【００１３】
本発明に係る方法は、脈波信号および人間の手足の運動を、それぞれ、睡眠中の人に装着された脈波センサおよび少なくとも１つの人感センサを使用して登録することにより、覚醒に好適な人間の睡眠相の識別を可能にし、上記脈波信号は、ＲＲ間隔の値および呼吸数を計算するための根拠としての役割を果たし、覚醒に好適な睡眠相の始まりおよび終わりが、関数Ｆ（Δｔｉ）の増分によって識別され、その値は、所与の時間間隔Δｔｉにわたって決定され、ｉは、時間間隔の通し番号であり、上記関数の増分は、以下の式（１）として表される。
2016517729.tif 000003
【００１４】
ここで、Ｐ１は、時間間隔ΔｔｉにわたるＲＲ間隔の平均値である。
【００１５】
Ｐ２は、時間間隔ΔｔｉにわたるＲＲ間隔の最小値である。
【００１６】
Ｐ３は、時間間隔ΔｔｉにわたるＲＲ間隔の最大値である。
【００１７】
Ｐ４は、３分から２０分の先行する時間間隔にわたるＲＲ間隔の標準偏差である。
【００１８】
Ｐ５は、時間間隔Δｔｉにわたる呼吸数の平均値である。
【００１９】
Ｐ６は、０．５分から１０分の先行する期間にわたる検出された手足の運動の平均数である。
【００２０】
Ｋ１〜Ｋ６は、関数Ｆ（Δｔｉ）の値に対する対応するパラメータＰ１〜Ｐ６の寄与を特徴づける重み係数である。
【００２１】
覚醒に好適な睡眠相の識別の確実性および信頼度は、選択されたパラメータＰ１〜Ｐ６が、組み合わせられたときに、レム相の始まりおよび終わりを識別するための情報を与え、レム相の始まりおよび終わりの識別を可能にするという、発明者によって実験的に確立された事実により定義される。一方、すべてのこれらのパラメータは、単に脈波信号および人間の手足の運動を登録することによって決定され、それは、人間の身体に装着されたときに人間の睡眠を妨害しないようなセンサを必要とする。選択されたパラメータが、同じく実験的に決定され得るある特定の重み係数Ｋ１〜Ｋ６とともに式（１）の要素であり、かくして、人間の覚醒に好適な相の始まりおよび終わりの信頼できる識別を提供する関数Ｆ（Δｔｉ）の値を得ることを可能にする、という事実もまた重要である。
【００２２】
パラメータＰ４の値（ＲＲ間隔の標準偏差）が測定される時間間隔の限度は、実験的に確立されている。
【００２３】
すなわち、時間間隔が３分未満である場合、いわゆるタイプＩ誤差（「誤ったアラーム」）の確率が許容できないほどに増し、時間間隔が２０分より長い場合、いわゆるタイプＩＩ誤差（「目標を逸する」）の確率が許容できないほどに増す。
【００２４】
パラメータＰ４の値が測定される時間間隔は、好ましくは４分から６分までの範囲で選択されるべきである。
【００２５】
パラメータＰ６の値（呼吸数の平均値）が測定される時間間隔の限度もまた、実験的に確立されている。
【００２６】
すなわち、時間間隔が０．５分未満である場合、タイプＩ誤差の確率が許容できないほどに増し、時間間隔が１０分より長い場合、タイプＩＩ誤差の確率が許容できないほどに増す。
【００２７】
パラメータＰ６の値が決定される時間間隔は、好ましくは４分から６分の範囲で選択されるべきである。
【００２８】
特に、健康な人々のための重み係数の以下の値が実験的に決定されている。
【００２９】
ｍｓで測定されたパラメータＰ１について、重み係数Ｋ１の値は、０．６ｍｓ−１から３ｍｓ−１、好ましくは０．９ｍｓ−１から１．０５ｍｓ−１の範囲で選択され得る。
【００３０】
ｍｓで測定されたパラメータＰ２について、重み係数Ｋ２の値は、０．１ｍｓ−１から０．７ｍｓ−１、好ましくは０．１ｍｓ−１から０．２ｍｓ−１の範囲で選択され得る。
【００３１】
ｍｓで測定されたパラメータＰ３について、重み係数Ｋ３の値は、０．０１ｍｓ−１から０．３ｍｓ−１、好ましくは０．０２ｍｓ−１から０．０５ｍｓ−１の範囲で選択され得る。
【００３２】
ｍｓで測定されたパラメータＰ４について、重み係数Ｋ４の値は、０．５ｍｓ−１から３ｍｓ−１、好ましくは１．３ｍｓ−１から１．５ｍｓ−１の範囲で選択され得る。
【００３３】
ｍｉｎ−１で測定されたパラメータＰ５について、重み係数Ｋ５の値は、１分から１０分、好ましくは１．５分から２．３分の範囲で選択され得る。
【００３４】
パラメータＰ６について、重み係数Ｋ６の値は、５から５０、好ましくは１８から２４の範囲で選択され得る。
【００３５】
方法の特定の実現において、脈波は、手首または前腕に固定された圧電センサ、歪みゲージまたは光学センサを使用して登録され得る一方で、動き検出器は、腕または脚に固定された加速度計によって代表され得る。
【００３６】
時間間隔Δｔｉは、１分から６分までの範囲で選択され得る。
【００３７】
特に、覚醒に好適な睡眠相の始まりは、時間期間Δｔｉにわたる関数Ｆ（Δｔｉ）の増分が第１の予め設定された閾値を超える場合に識別される。
【００３８】
特に、覚醒に好適な睡眠相の終わりは、時間期間Δｔｉにわたる関数Ｆ（Δｔｉ）の増分が第２の予め設定された閾値未満になる場合に識別される。
【図面の簡単な説明】
【００３９】
本発明は、以下の図表材料によって示される。
【００４０】
【図１ａ】図１ａは、被験者の１人（８ＶＡＶ）のためのレム睡眠相を識別する例を示し、登録されたレム相の１つについての関数Ｆ（Δｔｉ）のグラフである。
【図１ｂ】図１ｂは、被験者の１人（８ＶＡＶ）のためのレム睡眠相を識別する例を示し、図１ａに示された関数Ｆ（Δｔｉ）の増分ΔＦ（Δｔｉ）のグラフである。
【図２】図２は、図１ａにおいてより詳細に示されたグラフの一部が丸で囲まれている、図１ａおよび図１ｂにその睡眠が示されている同一の被験者（８ＶＡＶ）のための睡眠持続時間全体にわたる関数Ｆ（Δｔｉ）のグラフである。
【図３】図３は、別の被験者（７ＥＳＡ）のための睡眠持続時間全体にわたる関数Ｆ（Δｔｉ）のグラフである。
【図４】図４は、さらなる別の被験者（３ＳＯＲ）のための睡眠持続時間全体にわたる関数Ｆ（Δｔｉ）のグラフである。
【図５】図５は、本発明に係る方法を実現するセンサを有するブレスレットの形態で作られた例示的なポータブルデバイスの設計を概略的に示し、手首に接触するその内側からのデバイスの図である。
【図６】図６は、本発明に係る方法を実現するセンサを有するブレスレットの形態で作られた例示的なポータブルデバイスの設計を概略的に示し、インジケータが設けられた外側からデバイスを示す図である。
【発明を実施するための形態】
【００４１】
覚醒に好適な睡眠相を決定するための方法は、２つのセンサ、すなわち、脈波センサ、および腕または脚の運動に応答することができるセンサ、すなわち、加速度計のような人感センサを使用して実現され得る。センサは、互いに別個に人間の身体に取り付けられ得る。たとえば、人感センサは、腕または脚に装着され得る一方で、脈波センサは、手首または前腕に装着され得る。脈波センサは、圧電センサ、歪みゲージおよび光学センサによって代表され得る。身体領域の血管血液充填に敏感な光学センサまたは光電脈波センサの使用が好ましい。たとえば、図５および図６に示され、手首に着けられるブレスレット１の形態で作られた単一のデバイスに、脈波センサと人感センサの両方が取り付けられれば、ユーザにとってより簡便である。
【００４２】
図５に示されているように、ブレスレット１の内側は、たとえば圧電セルに基づいた、脈波センサ２を保持する。脈波信号が検出される手首領域との信頼できる皮膚の接触を保証するために、いくつかの脈波センサが使用され得る。ブレスレット１（図６を参照）は、デバイスの初期設定と動作モードとを表示するインジケータ３を有し得る。デバイスはまた、たとえば、ブレスレット１に取り付けられたバイブレータ（図面には示されていない）により、好適な睡眠相中に目覚め信号を発生させ得る。加速度計（図面には示されていない）が、睡眠中の人の腕の運動を検出するためにブレスレット１の内側に取り付けられ得る。脈波センサ２および加速度計は、脈波信号および加速度計が発生させる信号を登録する、ブレスレット１の測定ユニットに接続される。登録された信号は、ブレスレット１において測定ユニットと共設され得るか、または、人間の身体に装着されるかもしくは人によって保持される別個のユニットとして作られ得る、ＣＰＵにおいて処理され、上記ＣＰＵは、無線または何らかの他の手段によって測定ユニットから送信される信号を受信する。
【００４３】
ＲＲ間隔の値および呼吸数が、登録された脈波信号に基づいて人間の睡眠において決定される。脈波信号は鼓動と同期して変動する周期的な信号であるので、パルソグラムにおける任意の特徴的なポイント（たとえば、信号またはその微分のピーク値）間の時間間隔は、ＲＲ間隔に厳密に対応する。脈波信号から心拍数またはＲＲ間隔を決定するための、計器を用いた方法は、当業者に周知である。各々の心周期での血液充填の強弱の変化に対応する上述された周期的な変動とともに、脈波信号が呼吸周期に対応する低周波成分を含む、ということもまた知られている。脈波信号からの呼吸成分のローパスフィルタリングに基づいて呼吸数を決定する、計器を用いた方法は、当業者に周知である。
【００４４】
その後、得られたデータ、すなわち、ＲＲ間隔の値および呼吸数を使用して、以下のパラメータが、予め設定された時間間隔Δｔｉで周期的に測定される。
【００４５】
Ｐ１−ＲＲ間隔の平均値。
【００４６】
Ｐ２−ＲＲ間隔の最小値。
【００４７】
Ｐ３−ＲＲ間隔の最大値。
【００４８】
Ｐ５−平均呼吸数。
【００４９】
上記パラメータが測定される時間間隔Δｔｉは、１分から６分までの範囲で選択される。ここで、ｉは、ｉ番目の時間間隔の通し番号である。
【００５０】
さらに、パラメータＰ４が、３分から２０分、好ましくは４分から６分の先行する時間間隔にわたるＲＲ間隔の標準偏差として決定される。
【００５１】
０．５分から１０分、好ましくは４分から６分の先行する時間間隔にわたる手足の運動の平均数Ｐ６は、レム睡眠相の最終的な識別のために必要とされる別のパラメータである。運動活動の発生は、レム睡眠の識別のためにそれ自体が情報を与えるので、１０秒の期間にわたって加速度計により検出されるすべての手足の運動は、１つの運動とみなされる。
【００５２】
その後、関数Ｆ（Δｔｉ）の値が、以下の公式によって決定される。
【００５３】
2016517729.tif 000004
【００５４】
ここで、Ｋ１〜Ｋ６は、Ｆ（Δｔｉ）の値に対する対応するパラメータＰ１〜Ｐ６の寄与を特徴づける重み係数である。
【００５５】
以下の表１は、重み係数Ｋ１〜Ｋ６の値の範囲だけでなく、その最適な値を示す。
【００５６】
【表１】
2016517729.tif 000005
【００５７】
情報を与えるパラメータＰ１〜Ｐ６が確立され、健康な人々のためのそれらの重み係数Ｋ１〜Ｋ６は、睡眠ポリグラフの臨床研究に基づいて実験的に得られた。医療行為において受け入れられ、たとえば、「Ｐｏｌｙｓｏｎｍｏｇｒａｐｈｙ」（ｈｔｔｐ：／／ｗｗｗ．ｚｏｎａｓｎａ．ｒｕ／ｓｅｒｖ００２．ｈｔｍｌ）という記事において説明されている、統計的に有効な方法が、レム睡眠の識別の確度をチェックするために使用された。重み係数Ｋ１〜Ｋ６は、レム相およびノンレム相における関数Ｆ（Δｔｉ）の値が互いとの最大の差を示すように選択された。
【００５８】
時間間隔Δｔｉにわたる関数Ｆ（Δｔｉ）の増分ΔＦ（Δｔｉ）が、レム睡眠の始まりと終わりを識別するために使用される。現在の関数の値Ｆ（Δｔｉ）とその以前の値Ｆ（Δｔｉ−1）との間の差が第１の予め設定された閾値を超える場合、レム睡眠の始まりが識別される。上記差が第２の予め設定された閾値未満である場合、レム睡眠の終わりが識別される。
【００５９】
図１から図４は、異なる被験者の睡眠中に彼らについて得られた関数Ｆ（Δｔｉ）の例を示す。表１において与えられた最適な重み係数Ｋ１〜Ｋ６が、関数Ｆ（Δｔｉ）の値を計算するために研究の過程で選択された。図１から図４は、関数Ｆ（Δｔｉ）の滑らかにされた形態を示す。
【００６０】
加速度計および脈波センサの信号の測定分解能は、検査工程において０．１という量になった。１０秒の時間間隔にわたって検出されたすべての手足の運動が、単一の運動とみなされ、５分の期間にわたって平均された。関数の値Ｆ（Δｔｉ）が毎分計算され、すなわち、値Δｔｉは、各々のｉ番目の時間間隔について１分とみなされた。第１の閾値Ｌ１は、２０から３０までの範囲で選択されたが、第２の閾値Ｌ２は、−３０から−２０までの範囲で選択された。
【００６１】
図１ａは、被験者の１人（８ＶＡＶ）の睡眠中に登録されたレム相の１つを含む関数Ｆ（Δｔｉ）の一部を示す。見られるように、関数Ｆ（Δｔｉ）の値は睡眠の２０２分目で急激に上昇し、これは、レム睡眠の始まりを示すが、２１０分目で上記関数Ｆ（Δｔｉ）の値は突如低下し、これは、レム睡眠の終わりを示す。
【００６２】
図１ｂは、図１ａからの関数Ｆ（Δｔｉ）の増分ΔＦ（Δｔｉ）のグラフを示す。見られるように、増分値ΔＦ（Δｔｉ）は、レム睡眠の始まりとともに第１の閾値Ｌ１を大幅に超え、レム睡眠の終わりとともに第２の閾値Ｌ２よりも顕著に低くなる。
【００６３】
図１に示された例が、パラメータ値Ｐ１〜Ｐ６、関数の値Ｆ（Δｔｉ）、および関数の増分ΔＦ（Δｔｉ）の形態で表２に提示される。表２において太字で提示されたパラメータ値を有する行は、被験者におけるレム睡眠の始まりと終わりに対応する。
【００６４】
【表２】
2016517729.tif 000006
【００６５】
図２は、同一の被験者（８ＶＡＶ）についての睡眠持続時間全体にわたる関数Ｆ（Δｔｉ）のグラフである。関数の値Ｆ（Δｔｉ）によると、被験者の睡眠中に４つのレム相が発生している。
【００６６】
図３は、別の被験者（７ＥＳＡ）についての関数Ｆ（Δｔｉ）のグラフを示す。グラフによると、覚醒に好適な４つのレム相が、被験者の睡眠中に同様に登録された。被験者は、最後のレム相中に自ら目覚めた。
【００６７】
睡眠中のレム相の数は変動し得る。たとえば、図４は、３つのレム相が別の被験者（３ＳＯＲ）の睡眠中に発生したことを示す。
【００６８】
グラフはまた、睡眠持続時間全体を通じた異なるレム相が、関数Ｆ（Δｔｉ）の異なる絶対値を特徴とすること、およびレム睡眠の始まりと終わりが、上記関数の増分によってのみ確実に識別され得ることを示す。
【００６９】
一連の検査は、本発明に係る方法が２０人の被験者における７６回のレム睡眠相のうち７３回の識別を可能にしたことを示し、このことは、覚醒に好適な人間の睡眠相の識別のその高い信頼度の証拠となる。そこで選択された関数Ｆ（Δｔｉ）のパラメータはまた、快適な睡眠条件を提供するために手首に固定された最小数のセンサを使用する必要性により定義された。
【図１】
2016517729.tif 000009
【図２】
2016517729.tif 000010
【図３】
2016517729.tif 000011
【図４】
2016517729.tif 000012
【図５】
2016517729.tif 000013
【図６】
2016517729.tif 000014
【国際調査報告】
2016517729.tif 000015
2016517729.tif 000016